(57)【要約】  シガレットのような細長い喫煙物品のためのパックとして特定用途を見出す改良型スライド及びシェル容器を提供する。本発明は、外側シェル（３０）を含む容器（１）に関し、外側シェル（３０）は、外側シェル前部壁（３２）、外側シェル後部壁（３５）、左（３３）及び右（３４）外側シェル側壁、及び外側シェルストッパフラップ（３７）を含み、外側シェル（３０）は、少なくとも部分的に内側スライド（１０、２０）を包含し、内側スライド（１０、１２）は、箱部分（１０）を含み、内側スライド（１０、２０）の箱部分（１０）は、箱底部壁（１１）、箱前部壁（１２）及び箱後部壁（１５）、及び内側スライドストッパフラップ（１７）を含み、内側スライド（１０、２０）は、更に、蓋部分（２０）を含み、内側スライド（１０、２０）の蓋部分（２０）は、蓋上部壁（２６）を含み、内側スライド（１０、２０）の蓋部分（２０）は、箱後部壁（１５）において内側スライド（１０、２０）の箱部分（１０）にヒンジ止めされ、外側シェルストッパフラップ（３７）と内側スライドストッパフラップ（１７）は、互いに相互作用して、容器（１）を開く時の外側シェル（３０）と内側スライド（１０、２０）の間の移動を制限し、箱前部壁（１２）は、内側スライドストッパフラップ（１７）を含み、外側シェル前部壁（３２）は、外側シェルストッパフラップ（３７）を含む。【選択図】図３
2010510938.tif 000002
【特許請求の範囲】
【請求項１】
外側シェル（３０）を含み、該外側シェル（３０）が、外側シェル前部壁（３２）、外側シェル後部壁（３５）、左（３３）及び右（３４）外側シェル側壁、及び外側シェルストッパフラップ（３７）を含み、該外側シェル（３０）が、少なくとも部分的に内側スライド（１０、２０）を包含し、該内側スライド（１０、１２）が、箱部分（１０）を含み、該内側スライド（１０、２０）の該箱部分（１０）が、箱底部壁（１１）、箱前部壁（１２）及び箱後部壁（１５）、及び内側スライドストッパフラップ（１７）を含み、該内側スライド（１０、２０）が、更に蓋部分（２０）を含み、該内側スライド（１０、２０）の該蓋部分（２０）が、蓋上部壁（２６）を含み、該内側スライド（１０、２０）の該蓋部分（２０）が、該箱後部壁（１５）において該内側スライド（１０、２０）の該箱部分（１０）にヒンジ止めされ、該外側シェルストッパフラップ（３７）と該内側スライドストッパフラップ（１７）が、互いに相互作用して、容器（１）を開く時の該外側シェル（３０）と該内側スライド（１０、２０）の間の移動を制限する容器（１）であって、
箱前部壁（１２）が、内側スライドストッパフラップ（１７）を含み、外側シェル前部壁（３２）が、外側シェルストッパフラップ（３７）を含む、
ことを特徴とする容器（１）。
【請求項２】
前記内側スライド（１０、２０）の前記蓋部分（２０）は、更に、左（２３）蓋側壁及び右（２４）蓋側壁を含み、
前記左（３３）外側シェル側壁及び右（３４）外側シェル側壁は、前記蓋側壁（２３、２４）が該外側シェル側壁（３３、３４）によって完全には覆われないような大きさを有する、
ことを特徴とする請求項１に記載の容器（１）。
【請求項３】
前記蓋上部壁（２６）は、更に、前記蓋側壁（２３、２４）又は前記外側シェル側壁（３３、３４）の上に突出する延長フラップ（２８）を含む、
ことを特徴とする請求項１又は請求項２に記載の容器（１）。
【請求項４】
前記蓋上部壁（２６）は、前記箱後部壁（１５）にヒンジ止めされる、
ことを特徴とする請求項１から請求項３のいずれか１項に記載の容器（１）。
【請求項５】
前記内側スライド（１０、２０）の前記蓋部分（２０）は、更に、蓋後部壁（２５）を含み、該蓋後部壁（２５）は、前記箱後部壁（１５）にヒンジ止めされる、
ことを特徴とする請求項１から請求項３のいずれか１項に記載の容器（１）。
【請求項６】
前記内側スライド（１０、２０）の前記蓋部分（２０）は、更に、蓋前部壁（２２）を含み、該内側スライド（１０、２０）の前記箱部分（１０）は、更に、切り欠き部（１９）を有する左（１３）箱側壁及び右（１４）箱側壁を含み、該切り欠き部（１９）は、閉じた位置で該蓋前部壁（２２）が該箱側壁（１３、１４）の該切り欠き部（１９）内にあるように該蓋前部壁（２２）に適応されている、
ことを特徴とする請求項１から請求項５のいずれか１項に記載の容器（１）。
【請求項７】
前記外側シェル前部壁（３２）、前記外側シェル後部壁（３５）、前記左外側シェル側壁（３３）、前記右外側シェル側壁（３４）、及び外側シェル底部壁（３１）のうちの少なくとも１つは、切り欠き部を有する、
ことを特徴とする請求項１から請求項６のいずれか１項に記載の容器（１）。
【請求項８】
前記内側スライドの前記蓋部分の少なくとも表面区画が、摩擦を強化するためにスリップ防止ワニス又は適切なエンボスパターン又はそのいずれかの組合せによって処理される、
ことを特徴とする請求項１から請求項７のいずれか１項に記載の容器（１）。
【請求項９】
前記箱前部壁（１２）は、前記内側スライドストッパフラップ（１７）であり、前記外側シェルストッパフラップ（３７）は、前記外側シェル前部壁（３２）の上側部分の内側の増大した厚みによって形成される、
ことを特徴とする請求項１から請求項８のいずれか１項に記載の容器（１）。
【請求項１０】
２つ又はそれよりも多くの別々に包まれた束を収容する、
ことを特徴とする請求項１から請求項９のいずれか１項に記載の容器（１）。
【請求項１１】
前記束の少なくとも１つは、該束を再び閉じるか又は再び密封する手段を含む内側ライナによって形成され、又は該内側ライナが、該束の内側の香味の保持を高めるために高障壁特性を備えた材料から形成され、又はその組合せである、
ことを特徴とする請求項１０に記載の容器（１）。
【請求項１２】
前記内側スライド（１０、２０）は、更に、内側フレーム（４０）を含む、
ことを特徴とする請求項１から請求項１０のいずれか１項に記載の容器（１）。
【発明の詳細な説明】
【技術分野】
【０００１】
本発明は、シガレットのような細長い喫煙物品のためのパックとして特定用途を見出す改良型スライド及びシェル容器に関する。
【背景技術】
【０００２】
外側シェル又はスリーブと、外側シェルにそれに対する摺動可能な移動のために装着された内側スライド又は引き出しとを含む容器に喫煙物品及び他の消費財を包装することは公知である。このような「スライド及びシェル」容器の内側スライドに収容された商品にアクセスするために、消費者は、内側スライドが外側シェルによって取り囲まれている最初の閉じた位置から、内側スライドの開いた端部又は側面を露出させてそこを通して商品を取り出すことができるように内側スライドの一部分が外側シェルから外向きに突出する開いた位置まで内側スライドを押すか又は引く。
【０００３】
この種の容器は、例えば、外側シェルの後部壁の内側にｕ字状ストッパフラップを備えた外側シェルを含むスライド及びシェル容器を開示しているＵＳ−Ａ−４、６４６、９６０から公知である。スライド及びシェル容器の内側スライドは、箱部分と、内側スライドの後部壁におけるもう一方にヒンジ止めされた蓋部分とを含む。内側スライドは、外側シェルの後部壁の内側のストッパフラップの反対方向に整列した内側スライドの箱部分の後部壁上のｕ字形状ストッパフラップを更に含む。外側シェルと内側スライドが互いに対して移動する時に、この２つの対向するストッパフラップは互いに係合し、所定位置で開口する移動を止める。しかし、この付加的なストッパフラップのために、公知の高速製造機械は、複雑かつ高価な適応なしでは、例えそのような適応が本当に可能な場合であっても、これらの公知の容器の製造に対して直ちには使用できない。従って、これらの容器は、手作りされ、それは、特にこの種の容器に高品質が要求される時には厳しい制限となる。
【発明の概要】
【発明が解決しようとする課題】
【０００４】
一般的な高速製造機械上でこれらの機械に適応させることなく又は僅かな適応だけで少なくとも部分的に製造することができる容器を提供することが望ましいであろう。
【課題を解決するための手段】
【０００５】
本発明によれば、外側シェルを含む容器が提供され、外側シェルは、外側シェル前部壁、外側シェル後部壁、左及び右外側シェル側壁、及び外側シェルストッパフラップを含み、外側シェルは、少なくとも部分的に内側スライドを包含し、内側スライドは、箱部分を含み、内側スライドの箱部分は、箱底部壁、箱前部壁、及び箱後部壁、及び内側スライドストッパフラップを含み、内側スライドは、更に、蓋部分を含み、内側スライドの蓋部分は、蓋上部壁を含み、内側スライドの蓋部分は、箱後部壁において内側スライドの箱部分にヒンジ止めされ、外側シェルストッパフラップと内側スライドストッパフラップは、互いに相互作用して容器を開く時に外側シェルと内側スライドの間の移動を制限し、箱前部壁は、内側スライドストッパフラップを含み、外側シェル前部壁は、外側シェルストッパフラップを含む。
好ましくは、内側スライドの箱部分は、更に、左及び右箱側壁を含む。好ましくは、内側スライドの蓋部分はまた、更に、左及び右蓋側壁及び蓋前部壁を含む。好ましくは、外側シェルは、更に、シェル底部壁を含む。
【０００６】
本発明による容器は、公知の製造機械上での内側スライドの準備を可能にする。例えば、従来のヒンジ蓋式シガレット容器を作るためのブランク材は、箱前部壁を形成するフラップの大きさを単に例えば約２、３、又は４センチメートルだけ縮小することによって修正することができる。本発明による容器では、箱前部壁が、内側スライドストッパフラップとしての役割を果たし、かつその上縁は、外側シェルストッパフラップと相互作用することができる。ヒンジ蓋式容器の従来式ブランク材のこの修正に関係なく、通常の機械を依然として使用することができる。
【０００７】
容器の開放中かつ外側シェル及び内側スライドの移動中に、内側スライドストッパフラップ及び外側シェルストッパフラップは、それらの縁部が係合して開く移動が止まるまで互いに向って移動する。通常の取扱条件の下では、外側シェルは、内側スライドに対して移動することができるが、そこから分離することはできない。
好ましくは、内側スライドの蓋部分は、蓋上部壁の横方向延長フラップを含む。これらは、内側スライドの蓋部分上のグリップを改良し、従って、容器を開くのを容易にする。この実施形態では、シェル側壁は、蓋側壁を覆っても覆わなくてもよい。内側スライド上のグリップは、例えば、局所的なスリップ防止ワニスの付加又は適切なエンボスパターン又はそのいずれかの組合せにより、摩擦を増す内側スライドの蓋部分の適切な表面処理により更に改良することができる。
【０００８】
容器の内側スライド上のグリップを改良するための上述の手段の代わりに又はそれに追加して、容器を開くために内側スライドの箱部分を外側シェルから外へ押すようにするための手段を設けることができる。その目的で、外側シェル前部壁、外側シェル後部壁、左外側シェル側壁、右外側シェル側壁、及び外側シェル底部壁のうちの少なくとも１つは、切り欠き部を有する。例えば、切り欠き部は、外側シェル底部壁の中で正方形、円形、又は楕円形の形状であり、容器を開くために消費者の１つ又はそれよりも多くの指を挿入することができる大きさとすることができる。更に好ましい実施形態では、外側シェル後部壁及び外側シェル前部壁に切り欠き部を又は外側シェル側壁のそれぞれに切り欠き部を設け、各切り欠き部は、指の幅に対応する幅と開放移動の距離に適応させた長さとを有する。従って、これら切り欠き部の幅は、好ましくは、約１ｃｍから２ｃｍ、特に、約１．５ｃｍであり、長さは、好ましくは、約２ｃｍから約４ｃｍ、特に、約３ｃｍである。第３の好ましい実施形態では、外側シェル底部壁から外側シェル前部壁に延びる１つの切り欠きが発生するように互いに接続した外側シェル底部壁と外側シェル前部壁に切り欠きがある。外側シェル底部壁及び外側シェル後部壁に切り欠きを設けることも可能である。
【０００９】
箱後部壁は、蓋上部壁に直接ヒンジ止めすることができる。代替的に、内側スライドの蓋部分は、蓋上部壁に加えて蓋後部壁、及び好ましくは蓋側壁及び蓋前部壁も収容し、箱後部壁は、次に、蓋後部壁にヒンジ止めされる。この好ましいバージョンでは、組み合わされた箱及び蓋部分は、特に、シガレットのための市販されているような普通のヒンジ式容器に対応するが、箱前部壁は、大きさが縮小されている。
【００１０】
好ましくは、内側スライドの箱部分は、左及び右箱側壁を有し、内側スライドの蓋部分は、左及び右蓋側壁を有する。次に、蓋を閉じる時に蓋側壁の下縁が箱側壁の上縁に直接置かれ、従って、内側スライドの組み合わされた側壁を形成するようにこれら側壁の大きさ及び形状を互いに適応させることが更に好ましい。代替の好ましい実施形態では、蓋前部壁の幅が箱前部壁の幅を僅かに超え、そのために結果的に蓋側壁が箱側壁を部分的に収容する。閉じた位置で箱の幅と比較して蓋の幅が増加するのを回避するために、箱側壁の前縁は切り欠きを有する。切り欠きの大きさは、蓋前部壁に適応される。従って、箱側壁の縁部に沿った切り欠きの長さは、同じ方向における蓋前部壁の長さに対応する。これらの切り欠きの深さは、好ましくは、蓋の壁の厚み及び内側スライドを作るために使用されるブランク材の厚みに対応するか、又は蓋前部壁の内側に補強フラップが設けられる場合は、好ましくは、蓋前部壁の厚みの２倍に対応する。
【００１１】
好ましくは、容器は、更に、外側シェルと内側スライドの間で内側スライドに取り付けられた内側フレームを含む。内側フレームは、好ましくは、内側スライドの蓋部分の中に延びて内側スライドの閉鎖を改良する。内側フレームは、好ましくは、上縁に切り欠きを含み、内側スライドの中に収容されたシガレット又は他の消費財に対するアクセスを容易にする。
【００１２】
容器は、好ましくは、シガレットのような細長い喫煙物品のための容器である。容器内のシガレットは、好ましくは、内側包装紙内に束にされている。容器は、好ましくは、１つの束、２つの束、又は３つの束を収容する。２つの個別のシガレット束がある場合、２０のシガレットを収容する容器に対して、１つは１３のシガレット、もう１つは７つのシガレットを収容することができる。３つの個別のシガレット束がある場合、２０のシガレットを収容する容器に対して、１つは６つのシガレット、後の２つは、それぞれ７つのシガレットを収容することができる。各束は、異なる種類の細長い喫煙物品を収容することができる。
【００１３】
異なる種類の細長い喫煙物品は、例えば、異なる性質の香味を有するシガレットの銘柄を生成するためにタバコ配合物に単独で又は様々な量で使用することができるバーレー、オリエンタル、及びバージニアタバコのような独特な特徴的な香味及び芳香を有する異なる種類のタバコを含むシガレット、シガー、又はシガリロである。更に、通常のシガレット及び多くの異なる種類のフィルタチップを有するシガレットの両方、並びに通常サイズ、キングサイズ、スーパーキングサイズ、スリムサイズ、又はスーパースリムサイズシガレットのような長さ及び周囲長が異なるシガレットを使用することができる。更に、シガレットの種類は、香味の強度、全粒子物質送出量、及びニコチン送出量が異なるようにすることができる。更に、メントールなどが香味付けされたシガレットを使用することもできる。
【００１４】
本発明によるスライド及びシェル容器の内側スライドがシガレット又は他の喫煙物品の１つ又はそれよりも多くの束を収容する場合には、喫煙物品は、好ましくは、例えば、金属泊、プラスチック、又は金属化紙の内側ライナに包まれる。好ましくは、内側ライナは、束内の香味の保持を高めるために高障壁特性を備えた材料で形成することができる。これは、メンソールシガレットの場合に特に適している。更に、内側ライナは、束を再び閉じるか又は再び密封するための手段を含むことができる。
【００１５】
外側シェルの寸法は、外側シェルが箱の前部、後部、及び底部壁と蓋の前部及び後部壁とを完全に覆うという条件で、容器の上述の寸法に対応する。しかし、外側シェルは、蓋側壁を単に部分的に覆うのに加えて、蓋前部又は蓋後部壁又はその両方を覆わないか又は部分的に覆うことも可能である。最後に、外側シェルがどの蓋壁も覆わず、箱の前部、後部、及び側部の壁を単に部分的に覆うことも可能である。外側シェルの寸法は、次に、詳細に上述したように容器の寸法と比較してそれ相応に小さくすることができる。
好ましくは、本発明による容器の内側スライドの外法は、実質的にその外側シェルの内法と同じである。使用中に、内側スライドの外面と重なって当接する外側シェルの内面間に発生した摩擦力は、閉じた位置と開いた位置の間で外側シェル内を内側スライドが摺る移動に抵抗し、それによって消費者による積極的な力の印加なしにスライド及びシェル容器が開閉することを有利に回避する。
【００１６】
本発明によるスライド及びシェル容器の外側シェルと内側スライドは、同じか又は異なる材料で形成することができる。本発明による容器の外側シェルと内側スライドは、例えば、厚紙、板紙、プラスチック、金属、又はその組合せ、又はいずれか他の適切な材料で形成することができる。
好ましくは、外側シェル及び内側スライドは、折り畳まれた積層ブランク材、より好ましくは、折り畳まれた積層厚紙ブランク材で形成される。
【００１７】
本発明によるスライド及びシェル容器の外側シェル又は内側スライドの外面及び内面は、製造業者名又は銘柄ロゴ、商標、スローガン、又は他の消費者情報及び印し、又はそれらのあらゆる組合せによって印刷、エンボス加工、又はその他の方法で装飾加工することができる（例えば、ラベル又はステッカーを使用して）。
本発明によるスライド及びシェル容器の外側シェル及び内側スライドは、直角の縦方向縁部、直角の横方向縁部、丸形の縦方向縁部、丸形の横方向縁部、傾斜付き縦方向縁部、傾斜付き横方向縁部、又はそれらのいずれかの適切な組合せを有することができる。
【００１８】
例えば、外側シェル及び内側スライドが組み立てられる積層厚紙ブランク材に公知の方法で切り込みを入れることにより、本発明による喫煙物品又は他の消費財の「丸形コーナ」スライド及びシェル容器を形成することができる。更に、内側スライドは、三角形、矩形、正方形、台形、六角形、八角形、楕円形、円形、半円形、又はいずれかの他の形状の断面を有するヒンジ蓋式容器のような修正された箱前部壁を備えて、いずれかの既存のヒンジ蓋式容器のように形成することができる。
本発明による細長い喫煙物品又は他の消費財のスライド及びシェル容器は、従来の方法で、例えば、ポリエチレン又はポリプロピレンの透明高分子フィルムを用いて収縮包装又はその他の方法で上包装することができる。本発明によるスライド及びシェル容器が上包装される場合、上包装紙は、開封テープを含むことができる。
本発明を以下でより詳細に説明する。
【図面の簡単な説明】
【００１９】
【図１】閉じた位置での本発明の第１の実施形態による容器の斜視図である。
【図２】開いた位置での図１の容器の斜視図である。
【図３】開いた位置での本発明の第２の実施形態による容器の斜視図である。
【図４】開いた位置での本発明の第３の実施形態による容器の斜視図である。
【図５】本発明による容器の内側スライドを形成するための単体積層厚紙ブランク材を示す図である。
【図６】本発明による容器の外側シェルを形成するための単体積層厚紙ブランク材を示す図である。
【発明を実施するための形態】
【００２０】
図１は、閉じた位置での容器１を示している。外側シェル３０は、その外側シェル前部壁３２、その外側シェル後部壁３５、及びその右外側シェル側壁３４と共に見ることができる。内側スライド１０、２０の蓋部分２０は、その蓋上部壁２６及びその右蓋側壁２４と共に示されている。外側シェル側壁３４の大きさは、右蓋側壁２４の一部が右外側シェル側壁３４によって覆われない程度である。
図２は、開いた後の図１の容器１を示している。そのシェル前部壁３２、そのシェル後部壁３５及びその右外側シェル側壁３４を備えた外側シェル３０に加えて、その左箱側壁１３及び右箱側壁１４及びその箱後部壁１５を備えた内側スライド１０、２０の箱部分１０を見ることができる。内側スライド１０、２０の箱部分１０は、外側シェル３０から部分的に引き出される。内側スライド１０、２０の蓋部分２０は、箱後部壁１５と蓋後部壁２５の間のヒンジによって内側スライド１０、２０の箱部分１０に接続される。内側スライド１０、２０の蓋２０は、容器１に収容されたあらゆる商品（図示せず）にアクセス可能なように完全に開放されている。容器を閉じるために、消費者は、蓋上部壁２６に僅かな圧力を加えることができ、そうすると直ちに内側スライド１０、２０の箱部分１０及び内側スライド１０、２０の蓋部分２０が外側シェル３０の中に摺ることになる。
【００２１】
図３は、容器１の第１の実施形態に似ているが、更に内側フレーム４０を含む容器１の第２の実施形態を示している。内側フレーム４０は、内側スライド１０、２０の蓋部分２０に近い上縁に沿って切り欠き部を有する。
図４は、開いた位置での容器１の第３の実施形態を示している。外側シェル３０は、図１及び２に示す容器１の第１の実施形態の外側シェル３０と似ている。しかし、図４から分るように、内側スライド１０、２０の蓋部分２０は、箱後部壁１５と蓋上部壁２６の間のヒンジによって内側スライド１０、２０の箱部分１０にヒンジ止めされている。容器１の容易な開放を可能にするために、内側スライド１０、２０延長フラップ２８の蓋部分２０が、内側スライド１０、２０の蓋部分２０の両側面に形成される。これら延長フラップ２８は、消費者がこのフラップを掴んで内側スライド１０、２０の蓋部分２０及び箱部分１０を外側シェル３０の外に引き出すことができるように突出している。図４の容器１は、内側スライド１０、２０の蓋部分２０が閉じた状態で、蓋上部壁２６の内部まで届く箱側壁１３、１４を更に有する。従って、内側スライド１０、２０の蓋部分２０が閉じると直ちに、蓋側壁２３、２４は、それらが箱側壁１３、１４の前縁に到達するまで箱側壁１３、１４の外面に沿って摺る。これらの箱側壁１３、１４には、蓋前部壁２２の厚み及び長さの分だけ凹部が付けられ、蓋２０が閉じた時に蓋前部壁２２が置かれる切り欠き部１９を形成する。
【００２２】
図５は、内側スライド１０、２０の箱部分１０と、内側スライド１０、２０の箱部分１０にヒンジ止めされた内側スライド１０、２０の蓋部分２０とを形成するためのブランク材１１０、１２０を示している。破線は、ブランク材内の切り込みを表している。完成容器の壁に対応する表面又はフラップは、同じ参照番号に１００を加えた番号を有する。主表面フラップ１１２、１１７、１１１、１１５、及び対応する側面フラップ１１３及び１１４は、箱前部壁１２、箱底部壁１１、箱後部壁１５、及び左及び右箱側壁１３及び１４を形成する。フラップ１１２、１１７は、箱前部壁１２及び同時にストッパフラップ１７を形成する。主表面フラップ１２５、１２６、及び１２２は、対応する側面フラップ１２３及び１２４と共に、組立後に蓋後部壁２５、蓋上部壁２６、及び蓋前部壁２２、及び左及び右蓋側壁２３及び２４を形成する。
【００２３】
内側スライド１０、２０を作るために、側面フラップ１１３及び１１４が上向きに９０度だけ折り畳まれる。次に、フラップ１１２、１１７、及び１１１がそれぞれ上向きに９０度だけ折り畳まれ、各側面フラップ１１３及び１１４に取り付けられて最終的な箱部分１０をもたらす。同様に、蓋部分２０が形成される。更に、補強フラップ１４０が内向きに曲げられてフラップ１２２に取り付けられる。
【００２４】
延長フラップ１４１は、一定厚み又は深さの最終内側スライド１０、２０をもたらすように機能する。ブランク材が上述のように折り畳まれると、箱前部壁１２を形成するフラップ１１２、１１７は、正確に延長フラップ１４１の下縁１４２に到達する。ブランク材が上述のように折り畳まれると、蓋前部壁２２を形成するフラップ１２２（内向きに曲げられた補強フラップ１４０を含む）は、正確に延長フラップ１４１の上縁１４３に到達する。延長フラップ１４１の厚みは、箱前部壁１２の上縁と蓋前部壁２２の下縁との間で欠けている側壁厚みが延長フラップ１４１によって補償されるように、箱前部壁１２及び蓋前部壁２２の厚みにほぼ対応する。
【００２５】
図６は、外側シェル３０を形成するためのブランク材１３０を示している。主表面フラップ１３１、１３２、及び１３５は、対応する側面フラップ１３３及び１３４と共に、外側シェル底部壁３１、外側シェル前部壁３２、外側シェル後部壁３５、及び左及び右外側シェル側壁３３及び３４を形成する。主表面フラップ１３２に取り付けられるのは、フラップ１３７であり、これは、外側シェル３０の組立中に内向きに曲げられ、フラップ１３２又は外側シェル前部壁３２の内側側面に取り付けることができ、外側シェルストッパフラップ３７を形成する。
【符号の説明】
【００２６】
４０  内側フレーム
【図１】
2010510938.tif 000003
【図２】
2010510938.tif 000004
【図３】
2010510938.tif 000005
【図４】
2010510938.tif 000006
【図５】
2010510938.tif 000007
【図６】
2010510938.tif 000008
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
外側シェル（３０）を含み、該外側シェル（３０）が、外側シェル前部壁（３２）、外側シェル後部壁（３５）、左（３３）及び右（３４）外側シェル側壁、及び外側シェルストッパフラップ（３７）を含み、該外側シェル（３０）が、少なくとも部分的に内側スライド（１０、２０）を包含し、該内側スライド（１０、１２）が、箱部分（１０）を含み、該内側スライド（１０、２０）の該箱部分（１０）が、箱底部壁（１１）、箱前部壁（１２）及び箱後部壁（１５）、及び内側スライドストッパフラップ（１７）を含み、該内側スライド（１０、２０）が、更に蓋部分（２０）を含み、該内側スライド（１０、２０）の該蓋部分（２０）が、蓋上部壁（２６）を含み、該内側スライド（１０、２０）の該蓋部分（２０）が、該箱後部壁（１５）において該内側スライド（１０、２０）の該箱部分（１０）にヒンジ止めされ、該外側シェルストッパフラップ（３７）と該内側スライドストッパフラップ（１７）が、互いに相互作用して、容器（１）を開く時の該外側シェル（３０）と該内側スライド（１０、２０）の間の移動を制限する容器（１）であって、
箱前部壁（１２）が、内側スライドストッパフラップ（１７）を含み、外側シェル前部壁（３２）が、外側シェルストッパフラップ（３７）を含む、
ことを特徴とする容器（１）。
【請求項２】
前記内側スライド（１０、２０）の前記蓋部分（２０）は、更に、左（２３）蓋側壁及び右（２４）蓋側壁を含み、
前記左（３３）外側シェル側壁及び右（３４）外側シェル側壁は、前記蓋側壁（２３、２４）が該外側シェル側壁（３３、３４）によって完全には覆われないような大きさを有する、
ことを特徴とする請求項１に記載の容器（１）。
【請求項３】
前記蓋上部壁（２６）は、更に、前記蓋側壁（２３、２４）又は前記外側シェル側壁（３３、３４）の上に突出する延長フラップ（２８）を含む、
ことを特徴とする請求項１又は請求項２に記載の容器（１）。
【請求項４】
前記内側スライドの前記蓋部分の少なくとも表面区画が、摩擦を強化するためにスリップ防止ワニス又は適切なエンボスパターン又はそのいずれかの組合せによって処理される、
ことを特徴とする請求項１から請求項３のいずれか１項に記載の容器（１）。
【請求項５】
前記箱前部壁（１２）は、前記内側スライドストッパフラップ（１７）であり、前記外側シェルストッパフラップ（３７）は、前記外側シェル前部壁（３２）の上側部分の内側の増大した厚みによって形成される、
ことを特徴とする請求項１から請求項４のいずれか１項に記載の容器（１）。
【国際調査報告】
2010510938.tif 000009
2010510938.tif 000010
2010510938.tif 000011